(57)【要約】【課題】侵入者の乗り越えや小動物の侵入を確実に阻止でき、しかも、視界を妨げることがない格子フェンスを提供する。【解決手段】支柱１間に胴縁を介して複数本の主縦格子５が互いに平行に配された格子フェンスにおいて、胴縁は、上段、中段および下段２、３および４からなり、主縦格子５の上端は、上段の胴縁２から上方に突出し、主縦格子５間においてその下半部の中段の胴縁３と下段の胴縁４との間には、補助縦格子６が配され、補助縦格子６の上端は、中段の胴縁３の上方に突出している。【選択図】図１
2008196226.tif 000002
【特許請求の範囲】
【請求項１】
支柱間に胴縁を介して複数本の主縦格子が互いに平行に配された格子フェンスにおいて、
前記胴縁は、上段、中段および下段からなり、前記主縦格子の上端は、前記上段の胴縁から上方に突出し、前記主縦格子間において、その下半部の前記中段の胴縁と前記下段の胴縁との間には、補助縦格子が配され、前記補助縦格子の上端は、前記中段の胴縁の上方に突出していることを特徴とする格子フェンス。
【請求項２】
前記主縦格子の上端は、フェンスの前面側または後面側にくの字状に折れ曲がっていることを特徴とする、請求項１記載の格子フェンス。
【請求項３】
前記主縦格子と前記補助縦格子との間隔は、ほぼ３０ｍｍであることを特徴とする、請求項１または２記載の格子フェンス。
【請求項４】
前記上段、中段および下段の胴縁の少なくとも１つには、鋸歯状の板材が取り付けられていることを特徴とする、請求項１から３の何れか１つに記載の格子フェンス。
【発明の詳細な説明】
【技術分野】
【０００１】
この発明は、格子フェンス、特に、侵入者の乗り越えや小動物の侵入を確実に阻止でき、しかも、視界を妨げることがない格子フェンスに関するものである。
【背景技術】
【０００２】
従来、格子フェンスは、図４、図５および図６に示すように、支柱１１間に固定された上段の胴縁１２と下段の胴縁１３との間に複数本の縦格子１４を互いに平行に配したものから構成されている。以下、この格子フェンスを、従来格子フェンス１という。
【０００３】
しかし、このような従来格子フェンス１によれば、縦格子１４間の間隔（約８０ｍｍ）が広いので、縦格子１４間の胴縁１２、１３に足を掛けて侵入者が容易にフェンスを乗り越えることができた。しかも、猫や小型犬等の小動物が縦格子１４間から容易に侵入することができた。
【０００４】
そこで、図７、図８および図９に示すように、縦格子１４を長くしたり（以下、この格子フェンスを従来格子フェンス２という）、図１０および図１１に示すように、縦格子１４の上端をくの字状に折り曲げて忍び返し１４Ａを形成したものがあった（以下、この格子フェンスを従来格子フェンス３という）。
【０００５】
上記従来格子フェンス２、３によれば、フェンスが高くなったことによって、侵入者の乗り越えは阻止できるが、縦格子１４が長くなった分、フェンスの強度が低下した。
【発明の開示】
【発明が解決しようとする課題】
【０００６】
そこで、フェンスの強度を高めるには、図１２および図１３に示すように、胴縁の数を増やせば良いが（以下、この格子フェンスを従来格子フェンス４という）。すなわち、上段の胴縁１２と下段の胴縁１３との間に中段の胴縁１５を新たに追加することが考えられるが、このように、中段の胴縁１５を加えると、フェンスの強度は向上するものの、この胴縁１５に足が掛かるので、侵入者の乗り越えを阻止できないという問題が生じる。
【０００７】
上記問題を解決するには、縦格子１４間の間隔を、足が掛からない程度の間隔に狭めれば良いが、このようにすると、侵入者の乗り越えや猫や小型犬等の小動物の侵入を阻止できるが、縦格子１４の本数が著しく増加して、コスト高となり、しかも、縦格子１４の間隔が狭まるので、視界が極めて悪くなって安全上好ましくないといった問題が生じる。
【０００８】
従って、この発明の目的は、侵入者の乗り越えや小動物の侵入を確実に阻止でき、しかも、視界を妨げることがない格子フェンスを提供することにある。
【課題を解決するための手段】
【０００９】
この発明は、上記目的を達成するためになされたものであって、下記を特徴とするものである。
【００１０】
請求項１記載の発明は、支柱間に胴縁を介して複数本の主縦格子が互いに平行に配された格子フェンスにおいて、前記胴縁は、上段、中段および下段からなり、前記主縦格子の上端は、前記上段の胴縁から上方に突出し、前記主縦格子間において、その下半部の前記中段の胴縁と前記下段の胴縁との間には、補助縦格子が配され、前記補助縦格子の上端は、前記中段の胴縁の上方に突出していることに特徴を有するものである。
【００１１】
請求項２記載の発明は、請求項１記載の発明において、前記主縦格子の上端は、フェンスの前面側または後面側にくの字状に折れ曲がっていることに特徴を有するものである。
【００１２】
請求項３記載の発明は、請求項１または２記載の発明において、前記主縦格子と前記補助縦格子との間隔は、ほぼ３０ｍｍであることに特徴を有するものである。
【００１３】
請求項４記載の発明は、請求項１から３の何れか１つに記載の発明において、前記上段、中段および下段の胴縁の少なくとも１つには、鋸歯状の板材が取り付けられていることに特徴を有するものである。
【発明の効果】
【００１４】
この発明によれば、侵入者の乗り越えや小動物の侵入を確実に阻止でき、しかも、視界を妨げることがない格子フェンスを提供することができる。
【発明を実施するための最良の形態】
【００１５】
この発明の格子フェンスの一実施態様を、図面を参照しながら説明する。
【００１６】
図１は、この発明の格子フェンスを示す正面図、図２は、この発明の格子フェンスを示す側面図である。
【００１７】
図１および図２において、１は、支柱、２、３および４は、支柱１間に固定された胴縁であり、２は、上段の胴縁、３は、中段の胴縁、４は、下段の胴縁である。５は、上段の胴縁２と中段の胴縁３と下段の胴縁４との間に互いに平行に配された主縦格子である。主縦格子５の上端は、上段の胴縁２から上方に突出している。主縦格子５の上端をフェンスの前面側または後面側（図示の例は、後面側）にくの字状に折り曲げて忍び返し５Ａを形成すれば、侵入者の乗り越え阻止効果が一層向上する。６は、主縦格子５間において、その下半部の中段の胴縁３と下段の胴縁４との間に配された補助縦格子である。補助縦格子６の上端は、中段の胴縁３の上方に突出している。
【００１８】
主縦格子５の間隔は、約８０ｍｍであり、その間に補助縦格子６が配されているので、主縦格子５の下半部における主縦格子５と補助縦格子６との間隔、すなわち、格子間隔は、約３０ｍｍである。この結果、猫や小型犬等の小動物の侵入を確実に阻止できる。しかも、補助縦格子６の上端は、中段の胴縁３の上方に突出しているので、中段の胴縁３に足を掛けることができない。この結果、侵入者のフェンスの乗り越えを確実に阻止することができる。さらに、主縦格子５の上半部の間隔は広いので、視界が妨げられる恐れはない。
【００１９】
また、図３に示すような鋸歯状の板材７を、上段、中段および下段の胴縁２、３および４の少なくとも１つの上面に取り付ければ、侵入者の乗り越え阻止効果がさらに高まる。
【００２０】
なお、補助縦格子６に変えて、溶接金網等で主縦格子５の下半部の間隔を狭めても良い。
【００２１】
以上のように、この発明によれば、以下のような効果がもたらされる。
【００２２】
（１）主縦格子５を長くすることによるフェンスの強度低下を中段の胴縁３を追加することによって補うことができる。
【００２３】
（２）主縦格子５の下半部間に補助縦格子６を設け、格子間隔を狭めることによって、猫や小型犬等の小動物の侵入を確実に阻止できる。
【００２４】
（３）補助縦格子６により格子間隔を狭めると共に、補助縦格子６の上端を中段の胴縁３から突出させることによって、中段の胴縁３に足を掛けてのフェンスの乗り越えを確実に阻止することができる。
【００２５】
（４）補助縦格子６を主縦格子５の全長ではなく、必要とされる主縦格子５の下半部間にのみ設けることによって、その分、コスト低減が図れると共に、視界が妨げられる恐れはない。
【図面の簡単な説明】
【００２６】
【図１】この発明の格子フェンスを示す正面図である。
【図２】この発明の格子フェンスを示す側面図である。
【図３】鋸歯状の板材を示す正面図である。
【図４】従来格子フェンス１を示す平面図である。
【図５】従来格子フェンス１を示す正面図である。
【図６】従来格子フェンス１を示す側面図である。
【図７】従来格子フェンス２を示す平面図である。
【図８】従来格子フェンス２を示す正面図である。
【図９】従来格子フェンス２を示す側面図である。
【図１０】従来格子フェンス３を示す正面図である。
【図１１】従来格子フェンス３を示す側面図である。
【図１２】従来格子フェンス４を示す正面図である。
【図１３】従来格子フェンス４を示す側面図である。
【符号の説明】
【００２７】
１：支柱
２：上段の胴縁
３：中段の胴縁
４：下段の胴縁
５：主縦格子
５Ａ：忍び返し
１１：支柱
１２：上段の胴縁
１３：下段の胴縁
１４：縦格子
１４Ａ：忍び返し
１５：中段の胴縁
【図１】
2008196226.tif 000003
【図２】
2008196226.tif 000004
【図３】
2008196226.tif 000005
【図４】
2008196226.tif 000006
【図５】
2008196226.tif 000007
【図６】
2008196226.tif 000008
【図７】
2008196226.tif 000009
【図８】
2008196226.tif 000010
【図９】
2008196226.tif 000011
【図１０】
2008196226.tif 000012
【図１１】
2008196226.tif 000013
【図１２】
2008196226.tif 000014
【図１３】
2008196226.tif 000015